(57)【特許請求の範囲】
【請求項１】
保護ヘルメットであって、
ヘルメットシェルと、
少なくとも支持ケージ、ヘッドバンド及びネックバンドを含み、着用者の頭部に装着される内装構造体サブアセンブリと、
前記内装構造体サブアセンブリを前記ヘルメットシェルに固定するための固定手段とを含んでおり、
前記固定手段が、左右のこめかみ領域において前記支持ケージからそれぞれ側方下向きに延出する側方支持アーム及び後頭部領域において前記支持ケージから後方下向きに延出する後方支持アームを含む、スペーサとして形成された少なくとも３つの支持アームを含み、
前記ヘルメットシェル及び前記支持アームが、前記内装構造体サブアセンブリの外周全体に沿って前記内装構造体サブアセンブリ及び前記ヘルメットシェル間に、少なくとも耳保護具の耳覆い部材、耳保護具の支持ブラケット、耳保護具の取付具及びネックバンドの締結ユニットを含むヘルメット付属品並びに少なくとも顔面保護具、あご紐及びその取付手段を含む別のヘルメット付属品を収容するための間隙が形成されるような寸法に形成され配置されており、
前記側方及び後方支持アームが、それらの各遊端部で、前記ヘルメットシェルにそれぞれ着脱自在に固定されるように構成されており、
前記後方支持アームの前記遊端部が、前記ヘルメットシェルに設けられた後側固定点に着脱自在に固定可能で、かつ前記後方支持アームの長手方向の動きを規制するように前記後側固定点に固定されるラッチロック及び、前記ヘルメットシェルの内面に前記ラッチロックから所定距離隔てて設けられた追加的な固定点に着脱自在に固定可能で、かつ前記後方支持アームの横方向の動きを規制するように前記追加的な固定点に固定される固定懸架体または固定支持体を含むことを特徴とする保護ヘルメット。
【請求項２】
請求項１に記載の保護ヘルメットであって、
前記後方支持アームが、前記間隙に配置され、前記ヘルメットシェルに設けられた中間部分であって、前記後方支持アームの上方または下方に前記後方支持アームに対して所定距離を隔てて配置された前記追加的な固定点に前記後方支持アームを固定することができる前記固定懸架体または固定支持体を含む、該中間部分をさらに含むことを特徴とする保護ヘルメット。
【請求項３】
請求項１または２に記載の保護ヘルメットであって、
前記支持ケージが、硬くて、弾性的にフレキシブルな材料から形成されていることを特徴とする保護ヘルメット。
【請求項４】
請求項１ないし３のいずれか一項に記載の保護ヘルメットであって、
前記あご紐の取付手段が、
前記ヘルメットシェルの内面に設けられ、あご紐の前側あご紐取付具をそれぞれ取り付けることができるように構成された２つの前側あご紐取付部分と、
前記内装構造体サブアセンブリに設けられた後側あご紐取付部分とを含むことを特徴とする保護ヘルメット。
【請求項５】
請求項４に記載の保護ヘルメットであって、
前記後側あご紐取付部分が、前記後方支持アームに形成され、あご紐の後側あご紐取付具を取り付けることができる取付孔を含むことを特徴とする保護ヘルメット。
【請求項６】
請求項１ないし５のいずれか一項に記載の保護ヘルメットであって、
前記支持ケージが、その下側縁部に、周縁が閉じた形状の環状支持ストリップを含み、
前記環状支持ストリップに前記側方支持アーム及び前記後方支持アームが一体的に形成されていることを特徴とする保護ヘルメット。
【請求項７】
請求項１ないし６のいずれか一項に記載の保護ヘルメットであって、
前記ネックバンドが、前記支持ケージに結合されており、２つの遊端部を有しており、かつネック領域において前記２つの遊端部を互いに着脱自在に締結するための締結ユニットを備えており、
前記締結ユニットが、前記別のヘルメットシェル付属品として前記間隙内に収容されていることを特徴とする保護ヘルメット。
【請求項８】
請求項７に記載の保護ヘルメットであって、
前記締結ユニットが、
前記ネックバンドの前記２つの遊端部を互いに締結するためのロック用フラップと、
前記ネックバンドの前記２つの遊端部を前記ロック用フラップによって締結したときに、ヘルメット着用者の後頭部を当接支持する支持シェルとを備えていることを特徴とする保護ヘルメット。
【請求項９】
請求項８に記載の保護ヘルメットであって、
前記あご紐を、前記２つの前側あご紐取付部分からその後側に位置する前記締結ユニットへ導き、前記支持シェルに通し、前記後側あご紐取付部分に取り付けるように構成したことを特徴とする保護ヘルメット。
【請求項１０】
請求項１ないし９のいずれか一項に記載の保護ヘルメットであって、
前記左右のこめかみ領域において側方下向きに延出する前記側方支持アームが、該側方支持アームを前記ヘルメットシェルの内面に着脱自在に固定するための側方固定手段を有していることを特徴とする保護ヘルメット。
【請求項１１】
請求項１０に記載の保護ヘルメットであって、
前記各側方支持アームの前記側方固定手段が、前記各側方支持アームを前記ヘルメットシェルの内面にそれぞれ確実に固定することができるように構成されていることを特徴とする保護ヘルメット。
【請求項１２】
請求項１ないし１１のいずれか一項に記載の保護ヘルメットであって、
前記ラッチロックが、前記後方支持アームの前記遊端部において後方に二股に分岐したフォーク状のラッチロックを含み、前記後側固定点が、前記二股に分岐したフォーク状のラッチロックが挿入され係合するための、前記ヘルメットシェルに形成された係合孔を含むことを特徴とする保護ヘルメット。
【請求項１３】
請求項１１に記載の保護ヘルメットであって、
前記ヘルメットシェルの内面に棒状突出体が形成されており、
前記側方支持アームの前記側方固定手段が、前記棒状突出体とそれぞれ係合可能な貫通孔を有しており、
前記貫通孔が、前記棒状突出体における前記貫通孔の内側幅以上の幅を有する部分と係合するように構成されており、かつ
前記ヘルメットシェルに作用する負荷に起因して上方から前記側方支持アームに加えられた力により、前記側方支持アームにおいて、前記ヘルメットシェルをその下側縁部まで内向きに変形させるモーメントが生成されるように構成したことを特徴とする保護ヘルメット。
【請求項１４】
請求項１ないし１３のいずれか一項に記載の保護ヘルメットであって、
前記支持ケージが、下向きに延出して形成され、かつ前記ネックバンドと選択された高さで各々連結可能な２つの連結アームを有していることを特徴とする保護ヘルメット。
【請求項１５】
請求項１４に記載の保護ヘルメットであって、
前記側方支持アーム、前記後方支持アーム及び前記連結アームが、それらと一体的に形成されたリブによって補強されていることを特徴とする保護ヘルメット。
【請求項１６】
請求項２に記載の保護ヘルメットであって、
前記間隙内に配置された前記後方支持アームの前記中間部分が、上向きまたは下向きに延出する少なくとも１つの延出部材を備えており、
前記延出部材により、前記中間部分を前記ヘルメットシェルに設けられた前記追加的な固定点に固定し懸架または支持するように構成したことを特徴とする保護ヘルメット。
【請求項１７】
請求項１６に記載の保護ヘルメットであって、
前記延出部材が、前記後方支持アームと一体的に形成されていることを特徴とする保護ヘルメット。
【請求項１８】
請求項１６または１７のいずれか一項に記載の保護ヘルメットであって、
前記延出部材が、その遊端部で、前記ヘルメットシェルの前記追加的な固定点に確実に固定されるように構成されていることを特徴とする保護ヘルメット。
【請求項１９】
請求項１７または１８に記載の保護ヘルメットであって、
前記後方支持アームが、
前記ヘルメットシェルに各々固定される二股に分岐したラッチロックと、
前記後方支持アームの前記中間部分に互いに平行に配置されかつ前記後方支持アームの幅だけ互いに離間している一対の延出部材とを備えていることを特徴とする保護ヘルメット。
【請求項２０】
請求項１〜１９のいずれか一項に記載の保護ヘルメットであって、
前記側方支持アームが、前記支持ケージの長手方向軸線と直交しかつ前記側方支持アームの前記遊端部を通る直線に対して約３０〜５０°の範囲の角度αをなしていることを特徴とする保護ヘルメット。
【請求項２１】
請求項１〜２０のいずれか一項に記載の保護ヘルメットであって、
前記後方支持アームが、前記支持ケージの長手方向軸線に対して約１５〜２５°の範囲の角度βなしていることを特徴とする保護ヘルメット。
【請求項２２】
請求項２０または２１に記載の保護ヘルメットであって、
前記側方支持アームが、前側方向に向かって延びる矢印状の形状を有しており、前記支持ケージの長手方向中央よりも前側の位置に形成されていることを特徴とする保護ヘルメット。
【請求項２３】
請求項１〜２２のいずれか一項に記載の保護ヘルメットであって、
前記ヘルメットシェルが、その少なくとも前記後方支持アーム用の前記後側固定点よりも前側の領域に、通気口と、通気スライド部材に設けられた取付要素を係合結合させるためのガイドスロットとを有することを特徴とする保護ヘルメット。
【請求項２４】
請求項２３に記載の保護ヘルメットであって、
前記通気スライド部材の前記取付要素が、
該取付要素の前側部分に設けられた一対の角度付けされた要素と、
該取付要素の後側部分に設けられ、前記ガイドスロットにスライド変位可能かつ着脱自在に取り付けられる一対の弾性可撓性取付アームとを含むことを特徴とする保護ヘルメット。
【請求項２５】
請求項２３または２４に記載の保護ヘルメットであって、
前記通気スライド部材が、前記ヘルメットシェルの前記後方支持アームが固定される部分を外部からの衝撃から保護するように形成されていることを特徴とする保護ヘルメット。
【発明の詳細な説明】
【技術分野】
【０００１】
本発明は、ヘルメットシェルと、ヘルメット装着者の頭部に装着されるサブアセンブリを含む内装構造体とを備えた保護ヘルメット、特に、登山者または木登り者用の保護ヘルメットに関する。前記内装構造体の前記サブアセンブリは、少なくとも１つの支持ケージ、１つのヘッドバンド、１つのネックバンド及び該サブアセンブリを前記ヘルメットシェルに固定する固定手段を含む。
【背景技術】
【０００２】
このタイプの保護ヘルメットは、特許文献１から公知である。この公知の保護ヘルメットは基本的なヘルメットであり、付属品を交換することにより、様々な作業条件下で様々な目的に適用可能である。この保護ヘルメットは、ヘルメットシェルと最低限の内装構造体とから構成されている。前記内装構造体は、ヘルメットを着用者の頭部に装着させ、かつヘルメット着用者の頭部とヘルメットシェルとの間に衝撃吸収空間を確保するための交差ストラップから構成されている。このヘルメットシェルは、その外周部に設けられた、ヘルメットシェルの側部及び後部に延在する突出部と、その下側縁部に設けられた、前記交差ストラップを結合させるための４つの凹部と、追加の付属品を取り付けるためのさらなる凹部とを有している。このヘルメットの基本バージョンは、付属品を用いない単純な一般的なヘルメットとして使用される。付属品は、必要に応じて取り付けたり取り外したりすることができる。ヘルメットシェルの最も幅が広い部分で延在する前記突出部の外側に、凹部が設けられている。これが、顔面保護具及び耳保護具の取付位置である。前記顔面保護具及び耳保護具は、バイザーと、ワイヤブラケット及び耳覆い部材を各々有する２つの耳保護具とから構成されている。前記顔面保護具及び耳保護具は、前記突出部に設けられた前記凹部に挿入される一般的な取付手段によって、ヘルメットの外面に取り付けられる。このような保護具を備えたヘルメットの欠点は、現場作業時に、ヘルメットに衝突した障害物が前記耳保護具及び／またはバイザーのブラケットに引っ掛かり、それにより、ヘルメット着用者の作業を妨げたり、ヘルメットを剥ぎ取ってヘルメット着用者を危険にさらしたりする恐れがあることである。
【０００３】
顔面保護具及び／または耳保護具などのヘルメット付属品を保護ヘルメットの外面に取り付けることが、特許文献２〜７に開示されている。これらの特許文献から公知の保護ヘルメットもまた、障害物が耳保護具及び／または顔面保護具のブラケットに引っ掛かった場合は、ヘルメット着用者の作業を妨げたり、ヘルメット着用者を危険にさらしたりする恐れがある。
【０００４】
ヘルメット付属品がヘルメットシェルの外側に取り付けられないタイプの保護ヘルメットについての、内装構造体サブアセンブリとヘルメットシェルとの相互固定が、下記の特許文献に記載されている。
【０００５】
特許文献８には、支持ケージ、ヘッドバンド及びネックバンドから構成されヘルメット着用者の頭部に装着されるサブアセンブリを含む内装構造体を備えた保護ヘルメットが開示されている。この保護ヘルメットは、ヘルメットシェルの下側縁部に取り付けられるシールドをさらに備えており、前記内装構造体サブアセンブリは、該アセンブリを前記シールドに結合させるための結合要素を有している。
【０００６】
特許文献９には、支持ケージ、ヘッドバンド及びネックバンドから構成されヘルメット着用者の頭部に装着されるサブアセンブリを含む内装構造体を備えた保護ヘルメットが開示されている。この内装構造体は、二重壁構造のヘルメットシェルの下側縁部の４カ所に形成された溝部に挿入される結合用突起部を有しており、それによってヘルメットシェルに固定される。前記ヘッドバンドは、ヘルメット着用者の頭部のサイズ及び形状に容易に適合可能なフレキシブルな材料から形成されている。
【０００７】
特許文献１０には、支持ケージ、ヘッドバンド及びネックバンドから構成されヘルメット着用者の頭部に装着される内装構造体サブアセンブリと、前記内装構造体サブアセンブリを取り囲む衝撃吸収ユニットとが、ヘルメットシェル内に配置された安全ヘルメットが開示されている。ヘルメットシェルの内面には、衝撃吸収ユニット及び内装構造体アブアセンブリをねじで取り付けるための突出部が設けられている。この公知の安全ヘルメットでは、ヘルメットシェルの内面に面する衝撃吸収ユニットの外面に、外部に引き出される接続線を有する送受信器を収容可能な凹部を設けることができるように、衝撃吸収ユニットは十分な厚さを有して形成されている。
【先行技術文献】
【特許文献】
【０００８】
【特許文献１】DE 87 14 490U1（ドイツ国実用新案公報）
【特許文献２】DE 28 26 636C2（ドイツ国特許公報）
【特許文献３】DE 29 07 056A1（ドイツ国特許公報）
【特許文献４】DE 33 14 595C2（ドイツ国特許公報）
【特許文献５】DE 35 90 667C2（ドイツ国特許公報）
【特許文献６】DE 97 10 596U1（ドイツ国実用新案公報）
【特許文献７】DE 297 08 134U1（ドイツ国実用新案公報）
【特許文献８】DE 10 2004 004044B4（ドイツ国特許公報）
【特許文献９】DE 69 81 1738T2（ドイツ国の欧州特許翻訳公開）
【特許文献１０】ＰＣＴ国際特許公開第WO 2005/027671 A1号
【特許文献１１】DE 10 2010 027 012.1.（ドイツ国特許公報）
【特許文献１２】DE 1 797 962 U1（ドイツ国実用新案公報）
【発明の概要】
【発明が解決しようとする課題】
【０００９】
上述した全ての公知の保護ヘルメットは、上方からヘルメットに作用した力が、内装構造体、特に交差ストラップで形成された支持ケージを介して、ヘルメット着用者の頭部に実質的に完全に伝達される点で共通している。すなわち、交差ストラップは、ヘルメット着用者の頭部にヘルメットを密着させて保持するための機能を有しているので、衝撃吸収機能はある程度までしか果たすことができない。そのため、向上した衝撃吸収能力を有する保護ヘルメットが求められている。
【００１０】
また、上述した全ての公知の保護ヘルメットは、側方からヘルメットに作用する力も、ヘルメット着用者の頭部に実質的に完全に伝達される点で共通している。全ての公知の保護ヘルメットでは、内装構造体は少なくともヘルメットの下側縁部に直接的に沿ってヘルメットシェルまで延在しており、せいぜい、いくらかの衝撃吸収能力を提供するためにヘルメットの下側縁部に沿って内装構造体及びヘルメットシェル間にパッド部材が配置されるくらいである。
【００１１】
そして、登山者及び木登り者用の保護ヘルメットはあご紐を備える必要があるという問題が存在する。あご紐は、ヘルメットシェルの内面及び内装構造体アセンブリに固定しなければならない。例えば保護ヘルメットの認定のために必要とされる引張試験時などに、あご紐に引張力が加えられたとき、保護ヘルメットにおけるあご紐の締結部分の位置は安定した状態を保つ必要がある。そのため、内装構造体は、引張試験時にヘルメットシェルから分離されることはない。保護ヘルメットは、その使用時には、外力または衝撃に対する暴露に関係なく、あご紐によってヘルメット着用者の頭部に安全に保持されなければならない。
【００１２】
本発明の目的は、前述したタイプまたは上述した特許文献１〜１０から公知のタイプの保護ヘルメットであって、上方から作用する力及び側方から作用する力の両方に対する衝撃吸収能力を大幅に向上させることができる保護ヘルメットを提供することにある。
【００１３】
衝撃吸収能力は、事前発行されていない特許文献１１の主題である保護ヘルメットにおいて向上させられている。本出願人のこの事前の示唆では、内装構造体アセンブリの周囲全体に、内装構造体とヘルメットシェルの内面との間に最大で約４ｃｍの自由空間を提供する間隙が形成されている。側方から力が作用する場合、前記間隙の存在によりヘルメットシェル及び内装構造体アセンブリの変形が可能となり、それにより衝撃エネルギーを吸収することができる。この規格は、さらに、内装構造体アセンブリの上面と、その上に配置されるヘルメットシェルの内面との間にも間隙を必要とする。そのため、この公知の保護ヘルメットは、全ての面から衝撃を受けた場合でも、上方から受けた衝撃に対する保護しか提供することができない。
【課題を解決するための手段】
【００１４】
本発明によれば、上記課題は、左右のこめかみ領域において支持ケージからそれぞれ側方下向きに延出する側方支持アーム及び後頭部領域において前記支持ケージから後方下向きに延出する後方支持アームを含む、スペーサとして形成された少なくとも３つの支持アームを含む固定手段を設けることによって、内装構造体サブアセンブリの外周全体に沿って前記内装構造体サブアセンブリ及び前記ヘルメットシェル間に、少なくとも耳保護具の耳覆い部材、耳保護具の支持ブラケット、耳保護具の取付具及びネックバンドの締結ユニットを含むヘルメット付属品並びに少なくとも顔面保護具、あご紐及びその取付手段を含む別のヘルメット付属品を収容するための間隙が形成されるような寸法に形成され配置されたヘルメットシェル及び支持アームによって、前記側方及び後方支持アームを、それらの各遊端部で、前記ヘルメットシェルにそれぞれ着脱自在に固定されるように構成することによって、及び、前記後方支持アームの前記着脱自在な固定手段（前記遊端部）を、ヘルメットシェルに設けられた後側固定点に着脱自在に固定可能でかつその長手方向において有効な、即ち前記後方支持アームの前記長手方向の動きを規制するように前記後側固定点に固定されるラッチロック及び、ヘルメットシェルの内面に前記ラッチロックから所定距離隔てて設けられた追加的な固定点に着脱自在に固定可能でかつ前記長手方向と直交する方向において有効な、即ち前記後方支持アームの横方向の動きを規制するように前記追加的な固定点に固定される固定支持体を含むように構成することによって解決される。
【００１５】
本発明の保護ヘルメットによれば、顔面保護具及び耳保護具の支持アームまたは支持ブラケットが木の枝などの障害物に引っ掛からないようにするために前記支持アームまたは支持ブラケットを保護ヘルメットの周縁部の内側に配置するために、ネックバンドの締結ユニット、耳保護具の取付具及び耳保護具の耳覆い部材等はヘルメットシェルの内側に配置される。耳保護具が不要な場合は、保護ヘルメットの周縁部の内側、すなわち内装構造体サブアセンブリ及びヘルメットシェル間に形成された間隙内で、耳保護具を後方へ回動変位させる。このことにより、保護ヘルメットが障害物に引っ掛かる恐れがさらに低くなる。顔面保護具の取付具も前記間隙内に配置されるので、バイザーは、それを上げた状態のときでも下げた状態のときでも、木の枝などの障害物に引っ掛かる部分を提供しないように設計することができる。支持アームは内装構造体サブアセンブリ及びヘルメットシェル間のスペーサとして構成されており、該スペーサによって、内装構造体サブアセンブリの外周全体に沿って内装構造体サブアセンブリとヘルメットシェルの内面との間に最大４ｃｍの間隙が形成される。前記間隙の存在により、外側からヘルメットに作用する力を、ヘルメットシェル及び内装構造体サブアセンブリが変形することによって吸収することが可能となる。そのため、本発明による保護ヘルメットは、全体として、ヘルメット着用者の頭部に伝達される力がより小さくなるので、より良好な衝撃吸収能力を有する。すでに上述したように、力はヘルメットに上方及び側方から加わる可能性がある。側方からヘルメットに力が加わった場合、衝撃吸収能力は、ヘルメットシェルが内装構造体サブアセンブリに対して回動及び変位することによって達成することができる。本発明によれば、このことは、内装構造体サブアセンブリ及びヘルメットシェル間に、従来技術よりも幅広い間隙が形成されるによって可能となる。前記幅広い間隙は、ヘルメットシェル付属品を収容することができるだけでなく、スペーサとしてヘルメットシェルに固定された支持アームの助けを借りて、ヘルメットに上方または側方から力が作用しそれによりヘルメットシェルに引張荷重が加わったときに、前記支持アーム及びそれらに固定された支持ケージが変形して衝撃エネルギーを吸収することにより、ヘルメット着用者の頭部を衝撃の影響から保護する。
【００１６】
本明細書による保護ヘルメットによれば、内装構造体の周縁部において、ヘルメット及び内装構造体間に形成された前記幅広い間隙は、少なくとも耳保護具の耳覆い部材及びネックバンドの締結ユニットを含むヘルメットシェル付属品を収容することができる。本発明による保護ヘルメットでは、硬くて弾性的にフレキシブルな材料から形成された支持ケージと、少なくともその長手方向において所定の弾性可塑性を有するヘルメットシェルとの協働によって、支持機能及び衝撃吸収機能が果たされる。衝撃吸収機能を果たすために、支持ケージは側方支持アームの遊端部によってヘルメットシェルに支持されている。そのため、上方からヘルメットシェルに外圧が作用した場合、ヘルメットシェルにより側方支持アームに引張荷重が加えられ、それにより、側方支持アームは前記ヘルメットシェルを内側下向きに変形させようとする。側方からヘルメットシェルに力が作用した場合、衝撃吸収機能は、内装構造体に三点でのみ固定されかつ内装構造体の全周にわたって内装構造体から所定の距離を隔てて配置されたヘルメットシェルが前記内装構造体に対して変位することによってさらにサポートされる。前記変位の結果、並びに、引張力及び圧縮力がヘルメットシェルを介して内装構造体サブアセンブリの側方支持アームへ伝達された結果、前記支持アームは変形し、それにより、保護ヘルメットに作用した衝撃は吸収される。
【００１７】
本発明によれば、後方支持アームの前記着脱自在な固定手段（前記遊端部）は、ヘルメットシェルに設けられた後側固定点に着脱自在に固定可能なかつその長手方向において有効なラッチロックと、ヘルメットシェルの内面に前記後側固定点から所定距離隔てて設けられた追加的な固定点に着脱自在に固定可能なかつ前記長手方向と直交する方向において有効な固定懸架体または固定支持体とを含む。このことにより、後方支持アームは、ヘルメットシェルとの係合結合の解除が防止され、ヘルメットシェルを変形させる力よりも強い力に耐えることができる。したがって、ヘルメットシェルは、横方向の力が加えられたときに、制御された態様で変位または回動し、それにより衝撃エネルギーを吸収することができる。この衝撃吸収機能は、主に、支持ケージ及び該支持ケージに固定された側方支持アームが変位及び回動して弾性変形することによって果たされる。前記追加的な固定点は、前記ラッチロックの上方または下方に設けられる。
【００１８】
後方支持アームと、ヘルメットに設けられた後方支持アーム固定手段は、重要な機能を有している（詳細については後述する）。ヘルメットシェルは、実質的に楕円形の断面を有している。この楕円の長手方向軸線は、前側から後側（または後側から前側）に向かって延びている。したがって、この楕円における曲率半径が小さい部分は、ヘルメットシェルの前側端部及び後側端部に存在している。外側から作用する外力または内装構造体サブアセンブリの変形により内側から作用する力によってヘルメットシェルが変形する場合、曲率半径が小さい部分、すなわちヘルメットシェルの前側部分及び後側部分を変形させるためには、曲率半径が大きい部分、すなわちヘルメットシェルの長手方向の両側部分を変形させるときよりも大きな力が必要となる。楕円における曲率半径がより小さい部分、すなわち例えばヘルメットシェルの後側部分では、ヘルメットシェルはより大きな引張力に耐えることができる。思考実験として、ヘルメットシェルの全領域（すなわち、両側部分、後側部分及び前側部分）に同一の引張力が作用するとした場合、両側部分はより小さい引張力で変形可能なので、左右両側部分の内向きへの変形は、後側部分及び前側部分よりも大きくなる。後方支持アームがヘルメットシェルに対してなす角度は、側方支持アームがヘルメットシェルに対してなす角度よりも小さい。そのため、ヘルメットシェルの後側部分には、両側部分よりもより大きな変形力が加えられ、後側部分に変形力の５０％が加えられ、両側部分に変形力の２５％がそれぞれ加えられることになる。このこと、全ての従来のヘルメットに対する、本発明のヘルメットの大きな違いである。従来のヘルメットに上方から衝撃が加わった場合、従来のヘルメットはその頂部のみが変形する。しかし、本発明の保護ヘルメットに同じ衝撃が加わった場合、本発明の保護ヘルメットシェルは、その全体が、すなわちその頂部だけでなくその両側部分も変形する。たとえ理論上だとしても、後方支持アームの傾斜角度が側方支持アームの傾斜角度よりも小さいことにより、変形エネルギーが本発明の保護ヘルメットのヘルメットシェル全体に伝達される。また、ヘルメットシェルの後側部分の曲率半径が両側部分よりも小さいことに起因して、後方支持アームをヘルメットシェルに固定する部分であるヘルメットシェルの後側固定点において、ヘルメットシェルの両側部分よりも大きな力伝達が行われる。その結果、ヘルメットシェル全体として、安定的な力効果が実現される。
【００１９】
後方支持アームの固定懸架体は、上方から衝撃が加わった場合に、ヘルメットシェルに追加的なサポートを提供する。さらに、この追加的な固定懸架体は、あご紐に引張力が加わったときに、あご紐により内装構造体サブアセンブリに作用する引張力を吸収する。
【００２０】
そして、本発明の保護ヘルメットの、好ましい、内装構造体サブアセンブリ及びヘルメットシェル間の三点固定は、ヘルメットシェル及び内装構造体サブアセンブリ間の必要とされる自由度を提供する。これらの相互変位は、少なくとも２つの側方支持アームの変形を可能にし、それにより、ヘルメットシェル及び内装構造体サブアセンブリの変形を可能にする。したがって、本発明の保護ヘルメットは、横方向の衝撃に関しても、優れた衝撃吸収能力を有する。
【００２１】
この本発明の上記の特別な利点は、ヘルメットシェル内での力伝達に関しても適用される。これは、この目的のためには、内装構造体サブアセンブリ及びヘルメットシェル間の三点固定が最適だという知見に基づくものである。本発明のように、ヘルメットシェルへの内装構造体サブアセンブリの固定懸架が、４つ以上の固定点で実施された場合、ヘルメットシェル及び内装構造体サブアセンブリ間の固定はより安定的になる。ヘルメットシェル及び内装構造体サブアセンブリは、互いに対して回動または変位することはほとんどできないので、衝撃吸収の一因となる両者の変形はほとんど生じない。
【００２２】
後方支持アームが追加的な固定懸架体または固定支持体を備えることにより、ヘルメットシェルに外力が作用し、それにより、後方支持アームに引張力が加わった場合に、後方支持アームは、ヘルメットシェルとの係合結合の解除が防止され、ヘルメットシェルを変形させる力よりも強い力に耐えることができる。そのため、横方向の力が加わった場合に、ヘルメットシェルは、制御された態様で、内装構造体サブアセンブリに対して変位または回動して衝撃エネルギーを吸収する。
【００２３】
ヘルメットシェルの後方支持アームに設けられた追加的な固定懸架体または固定支持体は、このような保護ヘルメットの販売が認可される前に合格する必要がある認定試験に必要とされる引張強度試験において追加的な利点を提供する。この引張強度試験は、例えば登山用ヘルメットや木登り者用ヘルメットシェルなどのいくつかのヘルメットでは必須とされるあご紐が、規定の引張強度のときに、ヘルメット着用者の頭部に装着されたヘルメット全体から分離することが可能かどうかを試験する。前記固定懸架体は、ヘルメットシェルへの後方支持アームの固定を安定化させる役割だけでなく、引張強度試験時に加えられる力の大部分を吸収し、それにより、引張負荷によって後方支持アームがヘルメットシェルとの係合結合が解除されるようになるまで引っ張られる（負荷がかかる）ことを防止する役割も果たす。後方支持アームがヘルメットシェルの長手方向軸線となす角度は非常に小さいので、上方からヘルメットに力が作用した場合は後方支持アームにより大きな引張力が加えられる。そのため、上方から引張力が加えられた場合、それに対応する十分な衝撃吸収が提供される。固定懸架体による安定化のおかげで、後方支持アームの引張力吸収能力は大幅に向上する。前述した従来技術、例えば、特許文献１２には、支持ケージに設けられた支持ストラップとヘルメットの内面とがなす角度は非常に鋭角であり、上方から力が加わった場合、前記力は、支持ストラップを介して、ヘルメットシェルに実質的に伝達される。ヘルメットシェルはその長縁領域において内向きに変形することができないので、ヘルメットシェルに伝達された力は、当然、衝撃吸収機能によって吸収することができない。この従来技術は、下側縁部において内装構造体サブアセンブリ及びヘルメットシェル間に最大で約４ｃｍの幅広い間隙が形成されている本発明の保護ヘルメットヘルメットシェルとは異なり、初期状態ではヘルメットシェルはヘルメット着用者の頭部に近接して配置されるので、ヘルメットシェルの内側向きの大幅な変形は逆効果である。前記間隙は、ヘルメットシェルがヘルメット着用者の頭部に接触するリスクを負うことなく、ヘルメットシェルが内側に向かって大幅に変形することを可能にする。ヘルメットシェルが変形することにより、衝撃エネルギーの大部分を吸収することが確実になる。このことは、本発明の保護ヘルメットにおけるヘルメットシェル及び内装構造体サブアセンブリ間の好適な三点固定及び前記幅広い間隙により実現される。
【００２４】
従来公知の保護ヘルメットでは、ヘルメットシェルに横方向の負荷が作用した場合は、上方から負荷が加わった場合よりも衝撃吸収に関する条件は悪くなる。前述したような従来公知の保護ヘルメットでは、一般的に、内装構造体はヘルメットシェルの縁部の下側に直接取り付けられている。ヘルメットシェルに横方向からの衝撃が作用した場合、この衝撃は頭部に直接的に伝達されることになる。例えば、前述した特許文献１２のヘルメットのように、ヘルメットシェルの下縁部においてヘルメットシェルと内装構造体との間にパッド部材が配置されている場合でも、そのようなパッド部材はわずかな厚さしか有していないため、ヘルメットシェルが内側に向かって変位した場合はほぼ無抵抗で圧縮されることになる。
【００２５】
特許請求の範囲のサブクレームに記載されている内容は、本発明の保護ヘルメットの好適な実施形態である。
【００２６】
本発明の保護ヘルメットの一実施形態では、前記後方支持アームは、前記間隙に配置され、前記ヘルメットシェルに設けられた中間部分であって、前記後方支持アームの上方または下方に前記後方支持アームに対して所定距離を隔てて配置された追加的な固定点に前記後方支持アームを固定することができる前記固定懸架体または固定支持体を含む、該中間部分をさらに含む。このことにより、後方支持アームは、最も不利な力作用条件下でヘルメットシェルに力が作用した場合でも、ヘルメットシェルとの係合結合の解除が防止され、ヘルメットシェルを変形させる力よりも強い力に耐えることができる。前記間隙に配置された後方支持アームの中間部分の、該中間部分の上方に所定の距離を隔てて配置されたヘルメットシェルの追加的な固定点への追加的な固定は、例えば、前記中間部分に一体的に形成されたアーム延出部材、延出部材または同様のものによって実現され、それにより、前記中間部分と、前記中間部分の上方に位置する前記ヘルメットシェルに設けられた前記固定点との非常に強固な固定結合が得られる。
【００２７】
本発明の保護ヘルメットの別の実施形態では、支持ケージは、硬くて、弾性的にフレキシブルな材料から形成されている。本発明の保護ヘルメットでは、支持機能及び衝撃吸収機能は、硬くて弾性的にフレキシブルな材料から形成された支持ケージと、該支持ケージから延出する支持アームとの協働によって提供される。この実施形態では、支持ケージと支持アームは同一材料から形成されている。衝撃吸収機能を果たすために、支持ケージは、該支持ケージから側方下向きまたは後方下向きに上方から側方または後方支持アームの遊端部でヘルメットシェルに支持されている。そのため、上方からヘルメットシェルに外圧が作用した場合、ヘルメットシェルにより少なくとも側方支持アームに引張荷重が加えられ、それにより、側方支持アームはヘルメットシェルをその長辺において下側縁部に向けて内側下向きに変形させようとする。
【００２８】
本発明の保護ヘルメットの別の実施形態では、前記あご紐の取付手段は、前記ヘルメットシェルの内面に設けられ、あご紐の前側あご紐取付具をそれぞれ取り付けることができるように構成された２つの前側あご紐取付部分と、前記内装構造体サブアセンブリに設けられた後側あご紐取付部分とを含む。これらのあご紐取付部分の位置は、あご紐の安全な取り付けを確実にする。
【００２９】
本発明の保護ヘルメットの別の実施形態では、前記後側あご紐取付部分は、前記後方支持アーム内に形成され、あご紐の後側あご紐取付具を取り付けることができる取付孔を含む。このことにより、内装構造体サブアセンブリをヘルメットシェルに固定した後に、あご紐を内装構造体サブアセンブリに簡単な方法で取り付けることができる。前側及び後側あご紐取付具を用いてあご紐を前側及び後側あご紐取付部分に取り付けるように構成したことにより、例えばクリーニング目的のための、あご紐の簡便な交換が可能となる。
【００３０】
本発明の保護ヘルメットの別の実施形態では、前記支持ケージは、その下側縁部に、周縁が閉じた形状の環状支持ストリップを含み、前記環状支持ストリップに前記支持アームが一体的に形成されている。この実施形態では、前記支持アーム及び前記環状支持ストリップは、要求される剛性を有する１つの一体部品として構成されており、前記支持ケージの他の部分と協働して十分な衝撃吸収能力を提供する。特に、前記環状支持ストリップ及び前記ヘルメットシェル間の領域において、前記ヘルメットシェルは、その全周に沿って、前記支持ケージから少なくとも約４ｃｍ離間している。
【００３１】
本発明の保護ヘルメットの別の実施形態では、前記ネックバンドは、前記支持ケージに結合されており、２つの遊端部を有しており、かつネック領域において前記２つの遊端部を互いに着脱自在に締結するための締結ユニットを備えている。前記締結ユニットは、前記別のヘルメットシェル付属品として前記間隙内に収容されている。このことにより、前記ネックバンドは、障害物との衝突から保護され、かつヘルメット着用者が容易に操作することができる。
【００３２】
本発明の保護ヘルメットの別の実施形態では、前記締結ユニットは、前記ネックバンドの前記２つの遊端部を互いに締結するためのロック用フラップと、前記ネックバンドの前記２つの遊端部を前記ロック用フラップによって締結したときに、ヘルメット着用者の後頭部を当接支持する支持シェルとを備えている。この実施形態は、ヘルメット着用者が前記締結ユニットを片手で確実に操作することを可能にし、さらには、内装構造体サブアセンブリをヘルメット着用者の頭部に簡単な方法で装着することを可能にする。あご紐を使用することにより、さらなる安全性を提供することができる。
【００３３】
本発明の保護ヘルメットの別の実施形態では、前記あご紐を、前記２つの前側あご紐取付部分からその後側に位置する前記締結ユニットへ導き、前記支持シェルにその左右両側から通し、そして、前記後側あご紐取付部分に取り付けるように構成されている。あご紐に引張負荷が加えられたとき、あご紐の後方支持アームに取り付けられた端部は、支持ケージを下向きに引っ張る。後方支持アームの真上または真下に、後方支持アームを懸架または支持するための追加的な固定点が配置されている。前記追加的な固定点は、ヘルメットシェルの内面に設けられている。このことにより、下向きに作用するあご紐の引張力は、ヘルメットシェルによって吸収される。前記あご紐が締結ユニットを介して後側あご紐取付部分に導かれるように構成することにより、前記あご紐に下方向に作用する引張力が加えられることになる。
【００３４】
本発明の保護ヘルメットの別の実施形態では、前記左右のこめかみ領域において側方下向きに延出する前記側方支持アームは、該側方支持アームを前記ヘルメットシェルの内面に着脱自在に固定するための側方固定手段を有している。したがって、前記内装構造体サブアセンブリを前記ヘルメットシェルに着脱自在にかつ容易に取り付けることができる。
【００３５】
本発明の保護ヘルメットの別の実施形態では、前記各側方支持アームの前記側方固定手段は、前記側方支持アームを前記ヘルメットシェルの内面にそれぞれ確実に固定することができるように構成されている。このことにより、前記内装構造体サブアセンブリを前記ヘルメットシェルの内面に固定する位置（固定点）を介して、前記ヘルメットシェルに加えられた力を前記内装構造体サブアセンブリに単純な方法で伝達させることができる。
【００３６】
本発明の保護ヘルメットの別の実施形態では、前記後方支持アームは、その遊端部に、該後方支持アームを前記ヘルメットシェルに固定するための固定機構を有している。この実施形態では、前記ヘルメットシェルは、単純に、前記支持アームの前記遊端部を挿入して係合結合させることができる係合孔を有しており、この固定機構を介して、前記ヘルメットシェルに加えられた外力を前記内装構造体サブアセンブリに伝達することができる。
【００３７】
本発明の保護ヘルメットの別の実施形態では、前記ヘルメットシェルの内面に棒状突出体が形成されており、前記側方支持アームの前記側方固定手段が、前記棒状突出体とそれぞれ係合可能な貫通孔を有しており、前記貫通孔が、前記棒状突出体における前記貫通孔の内側幅以上の幅を有する部分と係合するように構成されており、かつ前記ヘルメットシェルに作用する負荷に起因して上方から前記側方支持アームに加えられた力により、前記側方支持アームにおいて、前記ヘルメットシェルをその下側縁部まで内向きに変形させるモーメントが生成されるように構成されている。したがって、この実施形態では、前記内装構造体サブアセンブリの衝撃吸収能力は、前記ヘルメットシェルの弾性変形によって単純な方法で提供することができる。前記側方支持アームの前記遊端部に設けられた前記貫通孔は、前記ヘルメットシェルに力が作用したときに、前記棒状突出体にてこの作用が作用することができるように、前記棒状突出体に応じて調節される。衝撃吸収能力は、上方からヘルメットに力が作用した場合だけでなく、横方向からヘルメットに力が作用した場合にも発揮される。横方向からヘルメットに力が作用した場合、ヘルメットシェルが内装構造体サブアセンブリに対して制御された態様で変位または回動し、それにより、衝撃吸収に大きく貢献する支持アーム及び支持ケージの変形が生じる。支持アームは、非常に幅広く構成されている。そのため、ヘルメットシェル及び支持アームが内装構造体サブアセンブリに対して変位または回動したときに、ヘルメットシェルによって支持アームを容易に変形させることができる。
【００３８】
本発明の保護ヘルメットの別の実施形態では、前記支持ケージは、下向きに延出して形成され、かつ前記ネックバンドと選択された高さで各々連結可能な２つの連結アームを有する。このことにより、使用者の頭部への本発明の保護ヘルメットの装着（適用）を、単純な方法で向上させることができる。
【００３９】
本発明の保護ヘルメットの別の実施形態では、前記側方支持アーム、前記後方支持アーム及び前記連結アームは、それらと一体的に形成されたリブによって補強されている。このことにより、前記固定点を介しての力の伝達を、単純な方法で向上させることができる。
【００４０】
本発明の保護ヘルメットの別の実施形態では、前記間隙内に配置された前記後方支持アームの前記中間部分は、上向きまたは下向きに延出する少なくとも１つの延出部材を備えており、前記延出部材により、前記中間部分を前記ヘルメットシェルに設けられた前記追加的な固定点に固定し懸架または支持するように構成されている。前記延出部材は、上方からの力がヘルメットシェルを介して後方支持アームに作用した場合に、前記力が、後方支持アームの前記ラッチロックだけに作用するのではなく、前記間隙に配置された後方支持アームの中間部分にも作用することを確実にする。横方向の力がヘルメットに作用した場合、前記延出部材は、ヘルメットシェルの内装構造体サブアセンブリに対する変位または回動を可能にし、それにより、安定化装置（スタビライザ）としての役割を果たし、かつ、後方支持アーム及びヘルメットシェル間の係合結合が解除されたり、緩んだりまたははっきりと変位したりすることを防ぐ。
【００４１】
本発明の保護ヘルメットの別の実施形態では、前記延出部材は、前記後方支持アームと一体的に形成されている。支持ケージは好ましくはプラスチック材料製であり、かつ後方支持アームは支持ケージと一体形成されているので、前記延出部材を支持ケージと単純な方法で一体的に形成することができる。
【００４２】
本発明の保護ヘルメットの別の実施形態では、前記延出部材は、その遊端部で、前記ヘルメットシェルの前記追加的な固定点に確実に固定されるように形成されている。これは、前記ヘルメットシェルの内面に固定した前記延出部材をヘルメットシェルの様に用いるための最も効果的な方法であり、両者の相互結合は、例えば内装構造体サブアセンブリをヘルメットシェルから取り外すときに簡単に解除することができるように容易に構成することができる。
【００４３】
本発明の保護ヘルメットの別の実施形態では、前記後方支持アームは、前記ヘルメットシェルに各々固定される二股に分岐したラッチロックと、前記後方支持アームの前記中間部分に互いに平行に配置されかつ前記後方支持アームの幅だけ互いに離間している一対の延出部材とを備えている。このことにより、後方支持アームのフォーク状のラッチロックをヘルメットシェルに形成された係合孔に簡単な方法で係合結合させること、並びに、後方支持アームに設けられた一対の延出部材をヘルメットシェルの内面に設けられた一対の追加的な固定点に容易に固定することが可能になる。
【００４４】
本発明の保護ヘルメットの別の実施形態では、前記側方支持アームは、前記支持ケージの長手方向軸線と直交しかつ前記側方支持アームの前記遊端部を通る直線に対して約３０〜５０°の範囲の角度αをなしている。上記の範囲内で、所望の衝撃吸収能力を得るための最適な値を選択することができる。好適な値は約４５°である。
【００４５】
本発明の保護ヘルメットの別の実施形態では、前記後方支持アームは、前記支持ケージの長手方向軸線に対して約１５〜２５°の範囲の角度βをなしている。好適な値は約２０°である。
【００４６】
本発明の保護ヘルメットの別の実施形態では、前記側方支持アームは、前側方向に向かって延びる矢印状の形状を有しており、前記長手方向軸線と直交しかつ前記支持ケージの長手方向中央も前側の位置に形成されている。そのため、この実施形態では、前記側方支持アームは、真横に向かってではなく、斜め前方に向かって延出している。このことにより、力を、固定点を介してヘルメットシェルへより好適に分配させることができる。力をヘルメットシェルへ好適に分配することにより、ヘルメットシェルの全周に沿って、ヘルメットシェルを実質的に均一に変形させることが可能となる。
【００４７】
本発明の保護ヘルメットの別の実施形態では、前記ヘルメットシェルは、その少なくとも前記後方支持アーム用の前記後側固定点よりも前側の領域に、通気口と、通気スライド部材に設けられた取付要素を係合結合させるためのガイドスロットとを有している。前記通気口は、ヘルメットシェル及び内装構造体サブアセンブリ間に形成された前記間隙の良好な通気を可能にする。前記ガイドスロットは、通気スライド部材の底部に設けられた取付要素によって、通気スライド部材をヘルメットシェルに着脱自在かつスライド変位可能に取り付けることを可能にする。
【００４８】
本発明の保護ヘルメットの別の実施形態では、前記通気スライド部材の前記取付要素は、該取付要素の前側部分に設けられた一対の角度付けされた要素と、該取付要素の後側部分に設けられ、前記ガイドスロットにスライド変位可能かつ着脱自在に取り付けられる一対の弾性可撓性取付アームとを含む。このことにより、通気スライド部材のヘルメットシェルへの着脱自在な取り付けが、単純な方法で可能になる。
【００４９】
本発明の保護ヘルメットの別の実施形態では、前記通気スライド部材は、前記ヘルメットシェルの前記後方支持アームが固定される部分を外部からの衝撃の影響から保護するように形成されている。
【００５０】
以下、本発明の実施形態について、図面を参照してより詳細に説明する。
【図面の簡単な説明】
【００５１】
【図１】本願出願人が以前提唱した保護ヘルメットの内装構造体サブアセンブリを斜め下方向から見た斜視図である。
【図２】図１の内装構造体サブアセンブリを斜め上方向から見た斜視図である。
【図３】図１の内装構造体サブアセンブリを、本願出願人が以前提唱した保護ヘルメットのヘルメットシェルに挿入された状態で示した長手方向断面図である。
【図４】図３のヘルメットシェルの底面図であり、内装構造体サブアセンブリが外された状態で示されている。
【図５】図４のヘルメットシェルを斜め下方向から見た斜視図である。
【図６】本願出願人が以前提唱した、顔面保護具及び耳保護具を備えた保護ヘルメットの一実施形態の分解部分断面図である。
【図７】図６の保護ヘルメットの底面図であり、顔面保護具、締結ユニット、耳保護具が保護ヘルメットから離れた位置に示されている。
【図８】本願出願人が以前提唱した、耳保護具を備えた保護ヘルメットの一実施形態を示す図であり、ヘルメットシェルは断面図で示され、耳保護具は着用者の耳から外された状態で示されている。
【図９】図８の保護ヘルメットにおいて、耳保護具が着用者の耳に当接した状態を示す図である。
【図１０】図９の保護ヘルメットの側面図である。
【図１１】図１０の保護ヘルメットにおいて、耳保護具を待機位置まで回動させてヘルメットシェルの下に収容した状態で示している。
【図１２】本願出願人が以前提唱した保護ヘルメットの内装構造体サブアセンブリを示す図であり、ネックバンドの２つの端部はネック領域において締結ユニットによって着脱自在に結合されている。
【図１３】本願出願人が以前提唱した保護ヘルメットの側面図であり、図１２の内装構造体サブアセンブリをヘルメットシェルに挿入した状態を示している。
【図１４】図１３の保護ヘルメットの底面図である。
【図１５】図１３の保護ヘルメットを前方から見た断面図である。
【図１６】図１３の保護ヘルメットを後方から見た断面図であり、一部を破線で示している。
【図１７】図１３の保護ヘルメットにおいて、顔面保護具としてバイザーが取り付けられた状態を示す図である（バイザーは開状態）。
【図１８】図１７の保護ヘルメットを前方から見た断面図である。
【図１９】図１７の保護ヘルメットを後方から見た断面図であり、一部を破線で示している。
【図２０】本願出願人が以前提唱した、顔面保護具と、耳保護具と、後頭部領域においてネックバンドに取り付けられた締結ユニットとを備えた保護ヘルメットの一実施形態の側面図である。
【図２１】本発明の保護ヘルメットの一実施形態の詳細として、ヘルメットシェルに支持ケージを追加的に固定するための係合部を備えたヘルメットシェルの後方部分の拡大図である。
【図２２】支持ケージの後方下向きに延出した支持アームのスナップ結合と、支持アームに一体形成され、係合部から懸架されているかまたは係合部に支持されている延出部分とを介しての、ヘルメットシェルへの支持ケージの取付けを、図２１と同じ方向から見た図である。
【図２３】本発明の保護ヘルメットの内装構造体サブアセンブリを後方から見た図である。
【図２４】図２３の内装構造体サブアセンブリを側方から見た図である。
【図２５】図２３及び図２４の内装構造体サブアセンブリを後方斜め上方向から見た斜視図である。
【図２６】本発明の別の実施形態の保護ヘルメットの正面図である。ここでは登山用または木登り用ヘルメットとして形成されているため、あご紐をさらに備えている。
【図２７】図２６の保護ヘルメットを下方向から見た斜視図である。
【図２８】図２６の保護ヘルメットを後方から見た図である。
【図２９】図２６の保護ヘルメットを側方から見た図である。
【図３０】図２１及び図２２に部分的にしか示さなかった保護ヘルメットのヘルメットシェルを通気スライド部とともに全部を示す上面図である。
【図３１】通気スライド部を含むヘルメットシェルの後方部分を詳細に示す底面図である。
【図３２】図３０の通気スライド部を詳細に示す底面図である。
【図３３】本発明の保護ヘルメットのヘルメットシェルの上面図であり、通気スライド部を取り外して図２３〜図２５の内装構造体サブアセンブリを取り付けた状態で示されている。
【図３４】図３３の内装構造体サブアセンブリを取り付けたヘルメットシェルを示す底面図である。
【図３５】図３０及び図３１に部分的にしか示さなかった保護ヘルメットのヘルメットシェルを通気スライド部とともに全部を示す底面図である（通気スライド部は換気位置）。
【発明を実施するための形態】
【００５２】
本願出願人が以前提唱した、特に林業用の保護ヘルメット（全体として符号３０で表す）の一実施形態を、図２０に側面図で、図６に分解部分断面図で示す。保護ヘルメット３０は、顔面保護具（全体として符号３２で表す）及び耳保護具（聴力保護具）（全体として符号３４で表す）を含む。保護ヘルメット３０は、ヘルメットシェル３６及び内装構造体サブアセンブリ（全体として符号４０で表す）をさらに含み、内装構造体サブアセンブリ４０は、支持ケージ４２、ヘッドバンド４４、及びネックバンド４６を含む。ネックバンド４６には、締結ユニット（全体として符号４８で表す）が設けられている。ヘルメットシェル３６には外側に通気スライド部５０が設けられており、それによって、ヘルメットシェルに形成された通気口５２を開閉することができる。
【００５３】
スペーサとして形成された３つの支持アーム５４、５５、５６（そのうち、支持アーム５５は図６では見えない）は、ヘルメットシェル３６に内装構造体または内装構造体サブアセンブリ４０を好適には三点で取り付けるための手段として働く。ヘルメットシェル３６の寸法は、そのように決定され（すなわち、内側の長さ及び幅が上記に合うように決定され）、支持アーム５４、５５、５６の寸法及び配置は、耳保護具３４の耳覆い部材（イヤーマフ）３５ａ、３５ｂと、他のヘルメット付属品と、少なくとも、顔面保護具３２、耳保護具３４、あご紐３００の取付具（図２６〜図２９）とを収容するための間隙６０が、内装構造体サブアセンブリ４０とヘルメットシェル３６との間に確保されるように決定される。他のヘルメット付属品には、上記のネックバンド４６の締結ユニット４８が含まれる。
【００５４】
以下に、ヘルメットシェル３６、内装構造体サブアセンブリ４０、ヘルメットシェル３６への内装構造体サブアセンブリ４０の取付け、そしてヘルメット付属品（耳保護具３４、顔面保護具３２、保護具の取付具、締結ユニット４８、あご紐３００及びその取付手段３８０を含む）について、上記した順に、詳細に説明する。
【００５５】
以下に、図面、特に図３〜図７及び図１５を参照しながら、ヘルメットシェル３６についてより詳細に説明する。
【００５６】
ヘルメットシェル３６は、一体成形のプラスチック成形品として形成されている。ヘルメットシェル３６のための適切なプラスチック材料としては、例えばＡＢＳが挙げられる。図３には、内装構造体サブアセンブリ４０を取り付けた状態のヘルメットシェル３６の長手方向断面図が示されている。図４は、内装構造体サブアセンブリ４０を取り外した状態の、図３のヘルメットシェル３６の底面図である。図５は、図４のヘルメットシェルを斜め下方向から見た斜視図である。図６は、保護ヘルメット３０の分解部分断面図であり、ヘルメットシェル３６と、その上に通気スライド部５０とが見られる。図７は、図６の保護ヘルメット３０を組み立てた状態の底面図であり、顔面保護具３２、締結ユニット４８、耳保護具３４がヘルメットから離れた位置に示されている。ヘルメットシェル３６は、ヘルメット着用者の両目の上側に位置するヘルメットのつばの機能を果たすように、ある程度前方へ引き出して形成されていることが好ましい。このようにして、ヘルメットシェル３６の前側部分の外面は、木の枝などの障害物に引っ掛かる部分が存在しないように、後側に向かって所定の均等な傾斜角度に立ち上がる斜面となるように形成されている（すなわち外面に大きな段差が存在しない）。ヘルメットシェル３６の内面の前側部分及び中央部分には、保護ヘルメット３０の幅方向に延在する補強リブ６２が一体的に形成されている。また、この補強リブ６２を横断するように、かつヘルメットシェル３６の内面の中央部分を通るように、保護ヘルメット３０の長手方向に延在する補強リブ６４が形成されている。補強リブ６２及び６４は、図３及び図４に最もよく示されている。ヘルメットシェル３６の内面の中央部分において、補強リブ６２、６４は、若干凹んでおりかつ通気口５２が６つ形成されている領域とつながっている。この凹んだ領域において、通気スライド部５０の２つの前側係合突起６８（ヘルメットの内側に向かって下向きに突出している）がヘルメットシェル３６の２つの前側ガイドスロット６６にそれぞれ係合し、かつ通気スライド部５０の２つの後側係合突起７０がヘルメットシェル３６の２つの後側ガイドスロット７２にそれぞれ係合することによって、通気スライド部５０がヘルメットシェル３６の外面にスライド変位可能に配置されている。通気スライド部５０は、対応する通気口５３（図６）を有する。通気口５３は、通気スライド部５０を通気位置に位置させたときに通気口５２の上側に位置する。通気スライド部５０を閉鎖位置に位置させたときは、通気スライド部５０の通気口５３の位置が変位し、ヘルメットシェルの通気口５２は通気スライド部５０によって塞がれる。図５及び１１に見ることができるように、ヘルメット３０の下側縁部は、こめかみ領域及び後頭部領域においてそれぞれ側方及び下向きに引き出して形成されている。このようにして、内装構造体サブアセンブリ４０とヘルメットシェル３６との間の上述した間隙６０は、こめかみ領域及び後頭部領域においては下向きに拡がっている。このことにより、顔面及び／または耳保護具の取付具をヘルメットシェル３６の内側に配置することや、耳覆い部材３５ａ、３５ｂを間隙６０に収容することが容易になる（図１１参照。詳細については後述する）。
【００５７】
上述したこめかみ領域においては、ヘルメットシェル３６の内面の左右両側にそれぞれ３つの棒状突出体７４ａまたは７４ｂが一体形成されており、棒状突出体７４ａまたは７４ｂには、内装構造体サブアセンブリ４０を支持アーム５４または５５により確実に着脱自在に取り付けることができる。棒状突出体７４ａ、７４ｂは、図５の側面図、図４の底面図（右側）、図１５の断面図において見ることができる。棒状突出体７４ａ、７４ｂは、四角形中空断面を有し、棒状突出体の基端部はヘルメットシェル３６の内面と一体的に形成されている。棒状突出体７４ａ、７４ｂの先端部は、自由端となるように、ヘルメットシェル３６の内面から突出している。棒状突出体７４ａ、７４ｂとヘルメットシェル３６の内面との結合、及びそれぞれ三角のナックルの形態をなす連結点に隣接した領域におけるヘルメットシェルへのそれらの結合部は、棒状突出体７４ａ、７４ｂとヘルメットシェル３６との間に一体的に形成された追加のリブによって補強され、これにより棒状突出体７４ａ、７４ｂがヘルメットシェル３６に実質的に強固に結合される。棒状突出体７４ａ、７４ｂに対して、その長手方向に対して横方向から、該棒状突出体を曲げようとする力が加えられた場合、棒状突出体７４ａ、７４ｂは、それに応じてヘルメットシェル３６を変形させようとする。このような構造の目的は、後述する内装構造体サブアセンブリ４０のヘルメットシェル３６への取り付けについての説明に関連してより詳細に説明する。
【００５８】
ヘルメットシェル３６は、後部中央の下側縁部付近に凹部７６を有している。凹部７６にはネックバンド４６の締結ユニット４８が配置され、それによって、ヘルメット３０が完全に組み立てられたときにネックバンド４６を手動で締結または締結解除するために締結ユニット４８に手が届くようになっている。
【００５９】
支持アーム５６をヘルメットシェル３６にロックするために、ヘルメットシェル３６の後頭部領域に少なくとも１つのスロット７８が設けられており、スロット７８は、支持アーム５６の対応する遊端（図２）と着脱自在に係合可能であるように適切に形成されている（図７及び図１５）。支持アーム５６をスロット７８に係合させたとき、支持アーム５６に形成された突起５６ａ、５６ｂは、ヘルメットシェル３６の外面に位置し、その外面に隣接することとなる。そのため、ヘルメットシェル３６に上から力が作用したとき、支持アーム５６に引張荷重が加わる。
【００６０】
耳保護具３４の取付具８０は、ヘルメットシェル３６の内側に２つの耳保護具支持部８０ａ、８０ｂを有する。耳保護具支持部８０ａ、８０ｂはピボットベアリングであり、ヘルメットシェル３６の内面に一体形成されているかまたは、好適には追加部品として取り外し不能に固定されている。耳保護具支持部８０ａ、８０ｂでは、耳覆い部材３５ａまたは３５ｂを含む支持ブラケット３７ａ、３７ｂが回動可能に支持されている（詳細については後述する）。
【００６１】
顔面保護具３２の取付具８４には、ヘルメットシェル３６の内側に２つの顔面保護具支持部８４ａ、８４ｂが設けられている。顔面保護具支持部８４ａ、８４ｂでは、バイザー１３２の２本の保持アーム１３２ａ、１３２ｂが回動可能に取り付けられている。顔面保護具支持部８４ａ、８４ｂは、ヘルメットシェル３６の内面と一体形成されておらず、それぞれコネクタ１３６ａまたは１３６ｂに設けられている。コネクタ１３６ａまたは１３６ｂはそれぞれ棒状突出体７４ａまたは７４ｂと結合され（スナップ結合）、それによって、同時に、支持アーム５４、５５のそれぞれの遊端が棒状突出体に固定される。対応するコネクタ１３６ａまたは１３６ｂを含む顔面保護具支持部８４ａ、８４ｂは、取付状態において、間隙６０（すなわち、既に説明したように、ヘルメットシェル３６の下側縁部を下向きに引き出して形成された領域）に配置される。
【００６２】
以下に、図面、特に図１〜図３、図６及び図１２を参照しながら、保護ヘルメット３０用の内装構造体についてより詳細に説明する。内装構造体サブアセンブリ４０は、頭部と接触する保護ヘルメット３０の一部分であり、支持ケージ４２と、ヘッドバンド４４と、締結ユニット４８を備えたネックバンド４６とを含む。ヘルメット３０を着用者の頭部に装着して固定するために、サブアセンブリ４０を、図３及び図６に示されているようにヘルメットシェル３６に取り付けることができる。
【００６３】
図１は、本発明の保護ヘルメット３０の内装構造体サブアセンブリ４０を斜め下方向から見た斜視図である。図２は、図１の内装構造体サブアセンブリを斜め上方向から見た斜視図である。図３は、図１の内装構造体サブアセンブリを、保護ヘルメット３０のヘルメットシェル３６に取り付けた状態で示した長手方向断面図である。図６は、顔面保護具３２及び耳保護具３４を備えた保護ヘルメットの一実施形態の分解部分断面図である。図１２は、保護ヘルメット３０の内装構造体サブアセンブリ４０を示す図であり、ネックバンド４６の２つの端部がネック領域において締結ユニット４８によって着脱自在に締結されている。
【００６４】
支持ケージ４２は、硬くて、弾性的でフレキシブルな材料、好適にはポリアミドなどのプラスチック材料から形成される。支持ケージ４２には、左右のこめかみ領域及び後頭部領域において斜め下向きまたは後方下向きに延出して形成された剛性体の支持アーム５４、５５、５６を有しており、これらのアームにより、内装構造体はヘルメットシェル３０に三点で取り付けられる。また、これらのアームにより、耳覆い部材３５ａ、３５ｂ及び他のヘルメット付属品、並びに顔面保護具３２の取付具８０及び耳保護具３４の取付具８４を収容することができる間隙６０が、ヘルメットシェル３６と内装構造体との間に形成される。本明細書に記載の実施形態においては、支持ケージ４２は、一体成形のプラスチック成形品として製造される。支持ケージ４２は、図２に示したように、互いに離間配置された１対の帯状の支持ストリップ１４２と、互いに離間配置された１対の帯状の支持ストリップ１４４とを中央部分において互いに交差させ、各支持ストリップの端部を４箇所の接続点１４６ａ、１４６ｂ、１４６ｃ、１４６ｄにおいて、周縁が閉じた形状の一個構造の環状支持ストリップ１４８と一体化させることにより形成されている。図１では、支持ストリップ１４２、１４４は、十字形の当て物材料の部材１４９に隠れている。
【００６５】
支持アーム５４、５５、５６はそれぞれ、接続点１４６ａ、１４６ｂ、１４６ｃにおいて支持ケージ４２から下向きに延出している。支持ストリップ１４２及び１４４が湾曲して延在しており、好ましくは接続点１４６ａ、１４６ｂ間、または１４６ｃ、１４６ｄ間で実質的に円弧を描くように延在していると仮定すると、支持アーム５４、５５、５６は、図１５または図２に見られるように、それぞれ支持ケージ１４２から側方下向きに、または後方下向きに、それに関連する円弧の実質的に接線方向に延出する。本明細書に記載の実施形態においては、支持アーム５４、５５、５６は、周縁が閉じた形状の環状支持ストリップ１４８と一体成形されている。ヘッドバンド４４は、図２に示したように、支持ケージ４２と一体成形されている。２つのネックバンド４６は、ヘッドバンド４４の後側遊端に対して、詳細には図示していないが例えばスナップ結合（スナップフィット）によって、着脱自在に結合される前側端部を有している。ネックバンド４６は、図１〜図３に示したように、ネック領域において互いに着脱自在に接続される。すなわち、２つのネックバンド４６は、図１２に見られるように締結ユニット４８により締結可能な遊端を有する。ネックバンド４６は、支持ケージ４２と同じ材料で形成することができる。ネックバンド４６は、例えば図１及び図２に示したように、ヘッドバンド４４との結合部分と前記遊端との間で、高さを調節できるようにして、支持ケージ４２にそれぞれ結合される。この目的のために、支持ケージ４２は、下向きに延出する２つの連結アーム４７ａ、４７ｂを有しており、連結アーム４７ａ、４７ｂ上にネックバンド４６を選択された高さで固定することができる。図１及び図２に示したように、ネックバンド４６は、上下方向に配置された３つの孔５１を各々に有しており、各連結アーム４７ａ、４７ｂに突設された弾性ボルト（スプリングボルト）４９（図６）と係合させることができる。
【００６６】
上記の実施形態では、支持アーム５４、５５は、実際には、支持アーム５６とは異なる方式でヘルメットシェル３６に固定されているが、このことは必須ではない。支持アーム５４、５５を、支持アーム５６と同じようにヘルメットシェルに固定することもできる。必要なのは、支持アーム５４、５５が、支持アーム５６と同じように、支持アーム５４、５５をヘルメットシェル３６に確実に固定することができる固定手段を備えていることだけである。この場合、支持アーム５４、５５の固定手段は、例えば、支持アーム５６と同様の、ヘルメットシェル３６のスロットに挿入し、スナップ結合（スナップフィット）によって支持アーム５４、５５をヘルメットシェルに固定させるロック手段であってもよい。
【００６７】
ヘッドバンド４４は、周縁が閉じた形状の環状支持ストリップ１４８に対して、互いに離間しかつ接続ストリップ１５０を介して一体成形されている。支持アーム５４、５５、５６及び連結アーム４７ａ、４７ｂは、それらと一体成形されたリブ１５２または１５４によってさらに補強されている。
【００６８】
左右２つのこめかみ領域において側方下向きに延出した支持アーム５４、５５は、ヘルメットシェル３６の内面に固定させるための固定手段を有する。固定手段は、各支持アーム５４、５５に設けられた３つの貫通孔１５６または１５８を含み、これらの貫通孔は、ヘルメットシェル３６に設けられた棒状突出体７４ａ、７４ｂとの確実な係合を可能にする。後頭部領域において後方へ延出した支持ケージ４２の支持アーム５６は、突起５６ａ、５６ｂを有しており、突起５６ａ、５６ｂは、既に説明したように、内装構造体サブアセンブリ４０をヘルメットシェル３６に着脱自在に取り付けるためのロック機構を形成する。
【００６９】
産業用及び林業用ヘルメットにおいて、あご紐は通常、ヘルメットシェルまたは支持ケージに取り付けられる。本発明の保護ヘルメット３０'では、特に登山用または木登り用ヘルメットとして用いるために、あご紐３００（図２６〜図２９）は、ヘルメットシェル３６及び支持ケージ４２に取り付けられている。そのような取付けについて、以下でより詳細に説明する。
【００７０】
ヘルメットシェル３６と内装構造体サブアセンブリ４０との相互固定については、すでに部分的に説明したが、ここでは、図２、図３及び図１５を参照しながら概要を補足的に説明する。図２は、内装構造体サブアセンブリ４０を斜め上方向から見た斜視図である。図３は、内装構造体サブアセンブリ４０を保護ヘルメット３０のヘルメットシェル３６内に取り付けられた状態で示した長手方向断面図であるが、ネックバンド４６上に締結ユニット４８は図示していない。
【００７１】
図１５は、図３の保護ヘルメット３０のＸＶ−ＸＶ断面図であり、締結ユニット４８も示している。図２には、スペーサとして形成された支持アーム５５及び５６が見える。下向きに延出した第２の支持アーム５５は、図２では見ることができない。支持アーム５５は、図３の内面図に示されている。図１５には、支持アーム５４及び５５の断面図が示されている。ヘルメットシェル３６に内装構造体サブアセンブリ４０を三点で取り付けるために、後方下向きに延出した支持アーム５６を、突起５６ａ、５６ｂがヘルメットシェルの外面と係合するまで、ヘルメットシェルのスロット７８に挿入する。次に、内装構造体サブアセンブリ４０をヘルメットシェル３６の内面にさらに接近させて、支持アーム５４、５５の貫通孔１５６、１５８にヘルメットシェルの棒状突出体７４ａ、７４ｂを挿入させる。このことにより、図１５に示すように、貫通孔１５６、１５８に棒状突出体７４ａ、７４が確実に係合される。ヘルメットシェル３６と棒状突出体７４ａ、７４ｂとの間のナックル部において支持アーム５４、５５をヘルメットシェルの内面に隣接させると、棒状突出体７４ａ、７４ｂにコネクタ１３６ａ、１３６ｂ（図４及び図５）が嵌まり込み、これにより支持アーム５４及び５５が所定の位置に固定される。このようにして、内装構造体サブアセンブリ４０及びヘルメットシェル３６は、三点で互いにしっかりと固定される。保護ヘルメット３０を頭部に被り、締結ユニット４８によって頭部に固定したら、必要に応じて、さらにあご紐（図示せず）を顎の下で結んで固定することもできる。支持アーム５４、５５の貫通孔１５６、１５８は、棒状突出体７４ａ、７４ｂにおける貫通孔１５６、１５８の内側幅以上の幅を有する部分と係合する。上側からヘルメット３０に作用する負荷に起因して支持アーム５４、５５、５６に力が加わったとき、支持アームの遊端で支持されたヘルメットシェル３６によって、支持アームに引張荷重が加わる。支持アーム５４、５５、５６に作用するこの力によって、ヘルメットシェル３６をその下側縁部まで内向きに変形させようとするモーメントが、前記三点（ヘルメットシェルと支持アームの固定点）のそれぞれにおいて生成される。このようにして、ヘルメットシェル３６はそれに作用する力の一部を変形エネルギーに変換し、これによりヘルメットの着用者に作用する力の影響を低減させることができる。支持アーム５４、５５、５６からヘルメットシェル３６への前記モーメントの伝達は、支持アームをそれと一体的に形成されたリブ１５２によって補強することによって、さらに向上させることができる。
【００７２】
以下で、図面、特に図４〜図１１を参照しながら、耳保護具３４について耳保護具の取付具８０を含めてより詳細に説明する。図４は、内装構造体サブアセンブリ４０が外された状態のヘルメットシェル３６の底面図であり、特に、ヘルメットシェル３６の内側に設けられた耳保護具支持部８０ａ、８０ｂの位置が識別可能であるように示されている。図５は、図４のヘルメットシェル３６を斜め下方向から見た斜視図である。図６は、保護ヘルメット３０の分解部分断面図であり、耳保護具３４を他のヘルメット付属品と関連させて示している。図７は、保護ヘルメット３０の底面図であり、耳保護具３４がヘルメットから離れた位置に示されている。分かりやすくするために、ヘルメット３０の反対側に位置する鏡像対称な耳保護具３４は、図７では省略されている。図８は、両側に耳保護具３４を含む保護ヘルメット３０を示しており、ヘルメットシェル３６は断面図で示され、耳保護具３４は耳から離れた位置に回動させてある。図９は、図８の保護ヘルメットを示しているが、耳保護具３４は耳を覆う位置に回動させてある。図１０は、図９の保護ヘルメットの側面図である。図１１は、図１０の保護ヘルメットを示しているが、耳保護具３４は後方へ待機位置（退避位置）まで回動させてヘルメットシェルの下に収容された状態で示されている。
【００７３】
耳保護具３４は２つの耳覆い部材３５ａ、３５ｂを含み、各耳覆い部材は、フォーク状の支持ブラケット３７ａまたは３７ｂに回動可能に支持されている。図４に見られるように、ヘルメットシェル３６の内面には、耳保護具支持部８０ａ、８０ｂが固く取り付けられている。図６では、耳保護具支持部８０ｂが支持ケージ４２とともに示されているが、この支持部は、実際には支持ケージ４２ではなく、ヘルメットシェル３６の内面に設けられる（耳保護具支持部８０ａも同様である）。図６は、単に、間隙内における内装構造体サブアセンブリ４０の支持ケージ４２に対する耳保護具支持部８０ｂの位置を示すことを目的としている。図１０及び図１１に見られるように、支持部８０ａ、８０ｂにおいて、耳覆い部材３５ａまたは３５ｂを備えた支持ブラケット３７ａ、３７ｂが回動可能に支持されている。耳保護具支持部８０ａ、８０ｂ及び支持ブラケット３７ａ、３７ｂは、間隙６０内の２つの位置間において回動可能であるように配置され、形成されている。２つの位置とは、耳覆い部材３５ａ、３５ｂが耳を覆う使用位置（図９及び図１０）と、耳覆い部材３５ａ、３５ｂがヘルメットシェル３６内の間隙６０に収容される待機位置（図１１）である。
【００７４】
各支持ブラケット３７ａ、３７ｂは、ばね付勢され、かつ間隙６０内に延在するその両端間の領域で屈曲可能であるように構成されている。耳覆い部材３５ａ、３５ｂを耳から離れる方向に回動させるときは、各支持ブラケット３７ａ、３７ｂは非屈曲姿勢をとり（図８）、耳覆い部材３５ａ、３５ｂを耳に近づける方向に回動させるときは、各支持ブラケット３７ａ、３７ｂは屈曲姿勢をとる（図９）。保護ヘルメット３０を頭部に着用していない状態では、２つの耳覆い部材３５ａ、３５ｂは後者の位置においてそれぞれ耳覆い部材３５ａ、３５ｂが隣接すべき耳よりも実質的に内側の位置まで届く。換言すると、耳覆い部材の相互距離は、この場合、両耳間の距離よりも実質的に短くなる。このように、ヘルメット３０を着用したときに、耳覆い部材３５ａ、３５ｂは確実に、予め力が加えられたばねによって耳に押し付けられ続ける。２つ所定の位置（両方とも安定）の間で支持ブラケット３７ａ、３７ｂの各々を曲げるために用いられる、予め力が加えられたばねは、環状に曲げられたヨークばね（yoke spring）９２ａ、９２ｂ（後者は図６に見られる）によってもたらされる。各々の支持ブラケット３７ａ、３７ｂは、屈曲姿勢（隣接位置）と非屈曲姿勢（離間位置）との間において手動で動かすことができる。これらの位置の各々に、ヨークばね９２ａまたは９２ｂは、それぞれ、後述のストッパと協働して、端位ロックをもたらす。ヘルメットが着用され、各々の耳覆い部材３５ａ、３５ｂが弾力をもって耳に押し付けられ続けるべき場合は、支持ブラケット３７ａ、３７ｂは端位ロックに達するべきではない。
【００７５】
さらに、各耳保護具支持部８０ａ、８０ｂ及び各支持ブラケット３７ａ、３７ｂは、図８に示した位置から後方へのみ支持ブラケットを回動させることができるように形成されている。このようにして、耳覆い部材３５ａ、３５ｂを、耳及びヘルメットシェル３６の下側縁部と衝突することなく耳の後ろ側の間隙に確実に収容することができる。
【００７６】
以下に、図面、特に図６、図７及び図１７〜図２０を参照しながら、顔面保護具３２についてより詳細に説明する。図６は、保護ヘルメット３０の分解部分断面図であり、顔面保護具３２が他のヘルメット付属品と関連付けて示されている。図７は、保護ヘルメット３０の底面図であり、顔面保護具３２のバイザー１３２がヘルメットから離れた位置に示されている。図１７は、バイザー１３２が開いた状態の保護ヘルメット３０を示している。図１８は、図１７の保護ヘルメットを前方から見た断面図である。図１９は、図１７の保護ヘルメットを後方から見た断面図であり、一部を破線で示している。図２０は、顔面保護具３２に加えて、耳保護具３４と、後頭部領域においてネックバンド４６に取り付けられた締結ユニット４８とを備えた保護ヘルメット３０の一実施形態の側面図である。
【００７７】
顔面保護具３２はバイザー１３２を含み、バイザー１３２は、２本の保持アーム３２ａ、３２ｂと、２つのコネクタ１３６ａ、１３６ｂとを含み、コネクタ１３６ａ、１３６ｂにはそれぞれ顔面保護具３２の取付具８４としての顔面保護具支持部８４ａまたは８４ｂが一体形成されている。コネクタ１３６ａ、１３６ｂは、棒状突出体７４ａまたは７４ｂに嵌め込まれ、このことにより、顔面保護具支持部８４ａ、８４ｂがヘルメットシェル３６の内面の左右の各こめかみ領域に配置されることとなる。顔面保護具支持部８４ｂを含むコネクタ１３６ｂが、図４に見られる。反対側に位置し、顔面保護具支持部８４ａを含むコネクタ１３６ａは、図４には示されていない。各顔面保護具支持部８４ａ、８４ｂは、軸線方向に突出させた弾性的でフレキシブルな３つのタペット８５ａまたは８５ｂを有しており、それらを介して、リング状ベアリングブシュ１３４ａ、１３４ｂを有する保持アーム１３２ａ、１３２ｂが、顔面保護具支持部８４ａ、８４ｂにおいて保持アーム１３２ａ、１３２ｂを着脱自在かつ回動可能に取り付けられる。顔面保護具支持部８４ａ、８４ｂ及び保持アーム１３２ａ、１３２ｂは、各保持アーム１３２ａ、１３２ｂを間隙６０内で２つの位置間で回動させることができるように構成され配置されている。２つの位置とは、バイザー１３２を閉じて顔面を保護する使用位置（図２０）と、バイザー１３２を開いてヘルメットシェル３６の外面に密接に隣接する待機位置（図１７及び図１９）である。顔面保護具の取付具８４は、各保持アーム１３２ａ、１３２ｂのための自己保持マウント部を有している。この目的のために、各コネクタ１３６ａ、１３６ｂは、保持アーム１３２ａ、１３２ｂに取り付けられたリング状ベアリングブシュ１３４ａまたは１３４ｂを使用位置または待機位置において弾性的に付勢された状態で保持するばね付勢ボルトを含む。
【００７８】
バイザー１３２は、各保持アーム１３２ａ、１３２ｂとともにフォーク状部材（図６）を形成し、そこには、バイザーを開いた（図１７）ときにヘルメットシェル３６の周縁部を密接に収容することができる。バイザー１３２を閉じたときには、バイザー１３２の上側縁部はヘルメットシェル３６の前側縁部に隣接し、バイザー１３２の側方縁部はヘルメットシェルの外面に隣接する。したがって、ヘルメットを例えば森林作業において使用する時には、バイザーを閉じた場合でも開いた場合でも、枝が保持アーム１３２ａ、１３２ｂまたはバイザー１３２そのものに引っかかってヘルメットの着用者を危険にさらす恐れはない。
【００７９】
以下で、締結ユニット４８について、より詳細に説明する。締結ユニット４８は、耳保護具３４と同様にヘルメット付属品であって、耳保護具３４とともにヘルメットシェル３６の周縁部の内側に常に位置するので、締結ユニット４８の領域においても、障害物が引っかかりそうな突出部分は存在しない。図面、特に図１２〜図１６を参照しながら、締結ユニット４８について説明する。図１２は、保護ヘルメット３０の内装構造体サブアセンブリ４０の側面図であり、ネックバンド４６の２つの端部はネック領域において締結ユニット４８によって着脱自在に接続されている。図１３は、保護ヘルメット３０の側面図であり、図１２の内装構造体サブアセンブリがヘルメットシェル３６内に取り付けられており、締結ユニット４８が図１２の如く締結された状態で示されている。図１４は、図１３の保護ヘルメットの底面図である。図１５は、保護ヘルメット３０を前方から見た断面図である。図１６は、図１３の保護ヘルメットを後方から見た断面図であり、一部を破線で示している。
【００８０】
締結ユニット４８はマウント部１６８を備え、マウント部１６８には両側からネックバンド４６の遊端が挿入される。マウント部１６８は、ネックバンド４６の矩形の開口部１７６と係合可能な矩形の係合突起を有する。このようにして、頭部の大きさに合わせてネックバンド４６の長さを大まかに調整することができる。この調整は、締結ユニットが操作されていないときに、保護ヘルメット３０を簡単に着用することができるように適切に行われる。ヘルメット３０を着用した後、以下に説明するように、締結ユニット４８を用いてネックバンド４６の締結を行うことになる。
【００８１】
図１４に示したように、支持シェル１７２とマウント部１６８とは、伝達レバー１６９によって互いにジョイント結合されている。図１４によれば、伝達レバー１６９の一端が、ジョイント１７０によって支持シェル１７２の下端（図１２）に結合されている。図１６によれば、伝達レバー１６９の他端が、ジョイント１７１によってマウント部１６８の上端に結合されている。
【００８２】
締結ユニット４８は、マウント部１６８にジョイント１７３によって結合されたロック用フラップ１７４（図１２）によって操作される。ロック用フラップ１７４には、伝達レバー１６９に隣接する側において、ジョイント１７３の下にタペット（図示せず）が設けられている。ロック用フラップ１７４を閉じると、図１２に示したように、マウント部１６８の下端は、タペットが伝達レバー１６９に与える影響によって、後方へ回動されてジョイント１７０から遠ざかる。この回動により、ネックバンド４６が締結される。この過程では、締結ユニット４８は、頭部後方のネック領域において支持シェル１７２によって支持されている。ジョイント１７１にはばね（図示せず）が設けられており、このばねは、ロック用フラップ１７４を開いたときに伝達レバー１６９がマウント部１６８の下端のジョイント１７０の方向に付勢されるように、マウント部１６８と伝達レバー１６９との間に配置されている。ジョイント１７０の領域においては、別のばね（同様に図示せず）が設けられており、このばねは、支持シェル１７２の上端がマウント部１６８の上端から離れる方向に回動変位したストッパ位置に支持シェル１７２を付勢されるように、支持シェル１７２と伝達レバー１６９との間に配置されている。
【００８３】
締結ユニット４８の操作は、ロック用フラップ１７４によって行われる。図１２に示したようにロック用フラップ１７４を時計回り方向に回動させて閉じると、マウント部１６８はジョイント１７１を中心に回動されるので、図１２に示したように、支持シェル１７２の下側縁部がマウント部１６８の下側縁部から離れる。これは、締結ユニットの締結位置であり、図１２〜図１４に見られる。ロック用フラップ１７４を反時計回り方向に回動させて開くと、締結ユニット４８も締結解除される。その結果、マウント部１６８の下側縁部を支持シェル１７２のジョイント１７０の方向へ変位させることができ、それによりネックバンド４６が締結解除され、保護ヘルメット３０の着脱が可能になる。保護ヘルメット３０を被った状態で、ヘルメット３０を頭部に固定するには、ロック用フラップ１７４を下向きに回動しさえすればよい。この操作は、片手で、グローブを付けた状態で、簡単に行うことができる。支持シェル１７２は、前側において、当て物材料の部材１８０によって覆われている。
【００８４】
ここからは、図２１〜図２５及び図３３、図３４を参照しながら、本発明の保護ヘルメット３０'の実施形態について説明する。本発明の保護ヘルメット３０'の実施形態は、内装構造体サブアセンブリ４０の後方下向きに延出した後方支持アーム５６をヘルメットシェルに固定する方式を変更した点と、それにより固定点の安定性を向上させた点において、本願出願人が以前提唱した保護ヘルメット３０の実施形態とは異なっている。
【００８５】
また、本発明の保護ヘルメット３０'は、図２６〜図２９に示すように、あご紐３００を取り付けるようにした点と、あご紐３００をヘルメットシェル３６及び内装構造体サブアセンブリ４０に取り付ける方式を変更した点においても、以前提唱した保護ヘルメット３０とは異なっている。
【００８６】
さらには、本発明の保護ヘルメット３０'は、図３０〜図３２及び図３５に示すように、後方支持アーム５６をヘルメットシェル３６に固定する方式を変更したことに伴い、そのような固定方式に適合する通気スライド部５０'の取付けに関しても、以前提唱した保護ヘルメット３０とは異なっている。
【００８７】
本願出願人が以前提唱した保護ヘルメット３０に対して、上述の相違に合わせて改変したヘルメットシェル及び内装構造体サブアセンブリを取り付けることができる。そのように構成した保護ヘルメットは、本発明の保護ヘルメット３０'に相当するものとなり、本明細書において既に示した保護ヘルメット３０に関するすべての実施形態と同様に、必要に応じて、顔面保護具、耳保護具、及び／またはヘッドバンド用締結ユニットを取り付けることができる。このヘルメット付属品の取付方法は、本願出願人が以前提唱した保護ヘルメット３０に関しての取付方法と異ならないので、便宜上、本発明の保護ヘルメット３０'及び当該ヘルメットの付属品の図面及び説明の追加、並びにそれに伴う関連する繰り返しを避けるために、ここでは、本願出願人が以前提唱した保護ヘルメット３０の図面及び説明を用いる。本願出願人が以前提唱した保護ヘルメット３０は、上記の相違を加味すると保護ヘルメット３０'であり、したがって、本発明の一部である。
【００８８】
図２１は、本発明の保護ヘルメット（全体として符号３０'で表す）の一実施形態の詳細を示す拡大図であり、図２１に見られるように、ヘルメットシェル３６に支持ケージ４２を追加的に固定するための追加的な固定点２１０が、ヘルメットシェル３６の後側部分に設けられている。追加的な固定点２１０は、係合突起として形成されている。追加的な固定点２１０は、ヘルメットシェル３６の内面と一体形成された第１の壁２２０（図３１）に形成されている。ヘルメットシェル３６は、ヘルメットシェルの長手方向中心軸線を挟んで第１の壁２２０と反対側に、中心軸線から等距離離間して、第１の壁２２０に対応する第２の壁２２２（図３１）を有する。第２の壁２２２は固定点２１１を有し、第１の壁２２０の追加的な固定点２１０と第２の壁２２２の固定点２１１は、互いに対向している。ヘルメットシェル３６はさらに、後方支持アーム５６の二股に分岐した２つのラッチロック１５７ａ、１５７ｂ（図３３）を挿入係合するための２つの係合スロット１７８、１７９を２つの壁２２０、２２２間に有しており、係合スロット１７８、１７９は、ヘルメットシェル３６の中心軸線に対して横方向に配置されかつ矩形の断面形状を有している。ヘルメットシェル３６への後方支持アーム５６の着脱自在な固定は、後側固定点及び追加的な固定点において行われる。後側固定点では、ヘルメットシェル上またはヘルメットシェル内（図の実施形態ではヘルメットシェル内）でヘルメットシェルの長手方向において有効なラッチロックを用いて前記固定を行う。追加的な固定点では、ヘルメットシェル３６の内側に配置されたラッチロックの上側（図示のように）または下側（図示せず）に設けられた後方支持アーム５６の固定懸架体または固定支持体を、ヘルメットシェル３６の長手方向中心軸線の両側に配置され、互いに対向しかつ係合突起として形成された２つの追加的な固定点２１０、２１１に結合させることによって、前記固定を行う。図の実施形態では、後方支持アーム５６を追加的な固定点に固定させるために、後方支持アーム５６の中間部分２００を間隙６０内に配置し、後方支持アーム５６がその上方に所定距離隔てて設けられたヘルメットシェル３６上の追加的な固定点２１０、２１１に固定されるように構成されている。
【００８９】
内装構造体サブアセンブリ４０を取り付けたヘルメットシェル３６の全体を、図３３に上面図で、図３４に底面図でそれぞれ示す。内装構造体サブアセンブリ４０には実際にはネックバンド４６も含まれるが、分かりやすくするために、図２２〜図２５、図３３及び図３４にはネックバンド４６は図示していない。
【００９０】
後方支持アーム５６は、ヘルメットシェル３６に固定するための固定機構を有しており、固定機構は、後方支持アーム５６の遊端に設けられた二又フォーク状の２つのラッチロック１５７ａ、１５７ｂと、対応するヘルメットシェル３６の係合スロット１７８、１７９とによって構成されている。二又フォーク状の各ラッチロック１５７ａ、１５７ｂは係合突起５６ａ、５６ｂを有しており、係合突起５６ａ、５６ｂは、遊端に向かって肉薄となるようテーパをなしている。テーパの肉厚側と延出部分２１２、２１４との間には係合溝１５９ａ、１５９ｂが形成されており、ヘルメットシェル３６に内装構造体サブアセンブリ４０を固定させたとき、ヘルメットシェル３６は、係合溝１５９ａ、１５９ｂに確実に係合される。その後、内装構造体サブアセンブリ４０をヘルメットシェルに係合させたとき、後方支持アーム５６の中間部分２００は、ヘルメットシェル３６の内面と支持ケージ４２との間に形成された間隙６０内に配置される。
【００９１】
間隙６０内に配置される後方支持アーム５６の中間部分２００（図２４）は、ヘルメットシェル３６の追加的な固定点に固定し懸架または支持するための、上向きに延出させた２つの延出部分２１２、２１４（図２５）を有する。延出部分２１２、２１４は、後方支持アーム５６と一体形成されている。ヘルメットシェル３６に設けられた追加的な固定点２１０または２１１と確実に係合することができるように、各延出部分２１２、２１４の遊端には、係合孔２２８または２３０が設けられている。上記したように、追加的な固定点２１０、２１１は、係合突起として形成されている。
【００９２】
後方支持アーム５６のフォーク状の２つのラッチロック１５７ａ、１５７ｂは、ヘルメットシェル３６に形成された係合スロット１７８、１７９に、上記した方法で係合結合される。延出部分２１２、２１４は、互いに対して平行に、かつ後方支持アーム５６の幅だけ離間して配置されている。後方支持アーム５６は、支持ケージ４２の長手方向軸線２４２に対して、約１５〜２５°の角度βをなして後方下向きに延出している（図２４）。
【００９３】
内装構造体サブアセンブリ４０は、側方下向きに延出した側方支持アーム５４、５５にそれぞれ側方固定手段（貫通孔１５６、１５８を含む）を有しており、それらを介してヘルメットシェル３６に形成された棒状突出体７４ａ、７４ｂに係合されるように構成されている。ヘルメットシェル３６の内面に内装構造体サブアセンブリ４０を固定させるには、先ず、後方支持アーム５６のフォーク状の２つのラッチロック１５７ａ、１５７ｂを、ヘルメットシェル３６に形成された係合スロット１７８、１７９に、係止されるまで挿入する。次に、側方支持アーム５４、５５の側方固定手段を介して、側方支持アーム５４、５５にヘルメットシェル３６の棒状突出体７４ａ、７４ｂを係合させる（側方支持アーム５４、５５を棒状突出体７４ａ、７４ｂの基端部に隣接させる）。このとき、図２２に示されているように延出部分２１２、２１４に形成された係合孔２２８、２３０に追加的な固定点２１０、２１１が係止されるまで、２つの延出部分２１２、２１４は壁２２０、２２２に沿ってスライド変位される。
【００９４】
既に説明したように、側方支持アーム５４、５５及び後方支持アーム５６と、水平面または当該水平面に位置する軸線とのなす傾斜角度は、本発明の重要な実施形態を構成する。側方支持アーム５４、５６と、支持ケージ４２の長手方向軸線２４２に対して垂直でかつ支持アーム５４、５５の各遊端を通過して延在する直線２４４とは、約３０〜５０°の角度αをなす。後方支持アーム５６と、支持ケージ４２の長手方向軸線２４２とは、約１５〜２５°の角度βをなす。これらの角度は、ヘルメットシェル３６への力伝達に重要であり、上方から負荷が加えられたときだけでなく、側方から負荷が加えられたときも、ヘルメットシェル３６を変形させることができ、保護ヘルメット３０'の全衝撃吸収能力に最適に寄与することになる。さらに、本発明の保護ヘルメット３０'の重要な実施形態は、支持ケージに形成された側方支持アーム５４、５５が、支持ケージ４２の長手方向中央よりも前側に配置されていることである。それによって、側方支持アーム５４、５５が支持ケージ４２と一体形成されている点すなわち力伝達点が前側に設定されるので、ヘルメットシェル３６への力伝達の向上、ひいてはヘルメットシェル３６の変形容易性の向上がなされる。冒頭で説明した保護ヘルメット３０と同様に、支持ケージ４２は、硬くて、弾性的でフレキシブルな材料から形成されている。この支持ケージにおいて、側方支持アーム５４、５５及び後方支持アーム５６は一体形成されており、すなわち、これらは同じ材料からなる。支持ケージ４２には、支持アーム５４、５５、５６が一体形成されている下側縁部において、周縁が閉じた形状の環状支持ストリップ１４８が設けられている。また、図２３〜図２５の支持ケージ４２にはネックバンド４６も取り付けられており、ネックバンド４６は、ネック領域において、締結ユニット４８によって着脱自在に結合される２つの端部を有する。締結ユニット４８は、別のヘルメット付属品として間隙６０内に受容される。締結ユニット４８は支持シェル１７２を含み、支持シェル１７２は、ネックバンド４６の締結時にロック用フラップ１７４を用いてヘルメット３０'の着用者の後頭部を当接支持することができる。
【００９５】
あご紐３００は、本発明の保護ヘルメット３０'のヘルメット付属品の一部を構成する。登山用または木登り用ヘルメットとして用いられる保護ヘルメットには、あご紐３００が装着されていなければならない。あご紐３００を取り付けるための２つの前側あご紐取付部３１０、３１１が、ヘルメットシェル３６の内面において、こめかみ領域の前側に設けられている（図２６）。２つの前側あご紐取付部３１０、３１１は、あご紐３００の取付手段３８０の一部をなす。あご紐３００は、前側取付具３１４、３１６によって、前側あご紐取付部３１０、３１１に取り付けられる。あご紐３００の取付手段３８０は、後側あご紐取付部３１２をさらに含む。後側あご紐取付部３１２は、内装構造体サブアセンブリ４０に設けられている。後側あご紐取付部３１２は、後方支持アーム５６に形成された係止孔を含んでおり、そこにあご紐３００の別の取付具（後側取付具）３１８を係止することができる。取付具３１４、３１６、３１８はそれぞれ、キノコ型の突出ピンを備えている。各取付具を係止させる係止孔は、鍵穴形状を有する。すなわち、係止孔は、幅広の一端から他端に向かって先細になるテーパ状開口部と、その先細端側に位置する円形開口部とを組み合わせた形状を有する。取付具のキノコ型のピンは、鍵穴形状係止孔のテーパ状開口部に挿入され、テーパ状開口部を案内されて、最終的に、テーパ状部分に隣接する円形開口部内に配置される。
【００９６】
あご紐３００は、ヘルメットの左右両側において、２つの前側あご紐取付部３１０、３１１から後方へ導かれ、締結ユニット４８の支持シェル１７２を通って、後側あご紐取付部３１２に取り付けられる。各こめかみ領域の下方では、あご紐は、輪形の方向変更具３２０または３３０に通されている。あご紐３００は、方向変更具３２０からあごの下を通って他方の方向変更具３３０まで延在する。あご紐３００は、このあご下領域においてサイズ調整機構をさらに有する。
【００９７】
あご紐３００の後端部は、支持シェル１７２を通されて後方支持アーム５６に取り付けられており、あご紐３００に引張力が加えられると斜め前方へ引っ張られる。このことにより、頭部へのヘルメットの固定が安定する。後方支持アーム５６の上側で延出部分２１２、２１４を介してヘルメットシェル３６の内面に対する後方支持アーム５６の追加的な固定を行ったことで、あご紐３００の引張力は、あご紐３００の後端部において最適に吸収されることとなった。これにより、後方支持アーム５６の遊端における、後方支持アーム５６とヘルメットシェル３６との係合結合の解除が防止される。したがって、後方支持アーム５６とヘルメットシェル３６との係合結合のみならず、後側あご紐取付部３１２の位置も安定性が向上する。このことにより、後方支持アーム５６は、加えられた負荷全体の約５０％を吸収することができ、側方支持アーム５４、５５はそれぞれ約２５％を吸収することができる。
【００９８】
保護ヘルメットのヘルメットシェル３６は、少なくとも、後方支持アーム５６のラッチロックに隣接するラッチロックより前側の領域において、通気口５３と、通気スライド部５０'の取付要素すなわち係合突起と係合可能なガイドスロット２５０、２５２、２６０、２６２とを有する。通気スライド部５０'の取付要素は、前側部分に１対の角度付けされた要素（アングル材）２５８、２５９を含み、後側部分に１対の弾性的に撓ませることができる係合アーム２５４、２５６を含む。角度付けされた要素２５８、２５９及び係合アーム２５４、２５６は、図３１及び図３５に示されているように、それぞれの対応するガイドスロット２６０、２６２または２５０、２５２においてスライド変位可能であるように、かつ着脱自在に、通気スライド部５０'に取り付けられる。取り付けのとき、通気スライド部５０'の角度付けされた要素２５８、２５９がガイドスロット２６０、２６２に外側から挿入される（図３０）。同時に、係合アーム２５４、２５６がそれぞれ対応するガイドスロット２５０または２５２に挿入される。係合アーム２５４、２５６は、互いから離れる方向に弾性的に付勢されており、対応するガイドスロット内を通って所定の位置まで挿入されたら、そこで弾性復元力によってそれぞれ係合突起２７０、２７２により壁２８０または２８２に接して支持される。通気スライド部５０'は、本発明の保護ヘルメット３０'において２つの重要な機能を果たす。通気スライド部５０'の重要な機能の１つは、ヘルメットシェル３６に設けられた、内装構造体サブアセンブリ４０を固定する後側固定点を、外部からの衝撃から保護する機能である。さらにもう１つの機能は、交換容易であることによる、交換可能なスライダとしての機能である。すなわち、保護ヘルメットを着用者に合わせて独自のものにするために、異なる色の通気スライド部を用意しておくことができる。例えば、現場監督の保護ヘルメットには赤色の通気スライド部５０'を提供し、掘削機オペレータの保護ヘルメットには緑色の通気スライド部５０'を提供することができる。このことは、本発明の保護ヘルメット３０'の通気スライド部５０'が別の色の通気スライド部５０'に容易に交換可能であることにより実現される。
【符号の説明】
【００９９】
３０、３０'  保護ヘルメット
３２  顔面保護具
３４  耳保護具（聴力保護具）
３５ａ  耳覆い部材（イヤーマフ）
３５ｂ  耳覆い部材（イヤーマフ）
３６  ヘルメットシェル
３７ａ  支持ブラケット
３７ｂ  支持ブラケット
４０  内装構造体サブアセンブリ
４２  支持ケージ
４４  ヘッドバンド
４６  ネックバンド
４７ａ  連結アーム
４７ｂ  連結アーム
４８  締結ユニット
４９  ボルト
５０、５０'  通気スライド部
５１  孔
５２  通気口
５３  通気口
５４  側方支持アーム
５５  側方支持アーム
５６  後方支持アーム
５６ａ  突起
５６ｂ  突起
６０  間隙
６２  補強リブ
６４  補強リブ
６６  ガイドスロット
６８  前側係合突起
７０  後側係合突起
７２  後側ガイドスロット
７４ａ  棒状突出体
７４ｂ  棒状突出体
７６  凹部
７８  スロット
８０  耳保護具の取付具
８０ａ  耳保護具支持部
８０ｂ  耳保護具支持部
８４  顔面保護具の取付具
８４ａ  顔面保護具支持部
８４ｂ  顔面保護具支持部
８５ａ  突起
８５ｂ  突起
９２ａ  ヨークばね
９２ｂ  ヨークばね
１３２  バイザー
１３２ａ  保持アーム
１３２ｂ  保持アーム
１３４ａ  リング状ベアリングブシュ
１３４ｂ  リング状ベアリングブシュ
１３６ａ  コネクタ
１３６ｂ  コネクタ
１４２  支持ストリップ
１４４  支持ストリップ
１４６ａ  接続点
１４６ｂ  接続点
１４６ｃ  接続点
１４６ｄ  接続点
１４８  支持ストリップ
１４９  当て物材料の部材（緩衝材）
１５０  接続ストリップ
１５２  リブ
１５４  リブ
１５６  貫通孔
１５７ａ  二又フォーク状の先端部
１５７ｂ  二又フォーク状の先端部
１５８  貫通孔
１６８  支持シェル用マウント部
１６９  伝達レバー
１７０  ジョイント
１７１  ジョイント
１７２  支持シェル
１７３  ジョイント
１７４  ロック用フラップ
１７６  開口部
１７８  係合スロット
１７９  係合スロット
１８０  当て物材料の部材（緩衝材片）
２００  中間部分
２１０  固定点
２１１  固定点
２１２  延出部分
２１４  延出部分
２２０  第１の壁
２２２  第２の壁
２２８  係合孔
２３０  係合孔
２４２  長手方向軸線
２４４  直線
２５０  ガイドスロット
２５２  ガイドスロット
２５４  係合アーム
２５６  係合アーム
２５８  角度付けされた要素
２５９  角度付けされた要素
２６０  ガイドスロット
２６２  ガイドスロット
２７０  係合突起
２７２  係合突起
２８０  壁
２８２  壁
３００  あご紐
３１０  前側あご紐取付部
３１１  前側あご紐取付部
３１２  後側あご紐取付部
３１４  前側取付具
３１６  前側取付具
３１８  後側取付具
３２０  方向変更具
３３０  方向変更具
３４０  係止孔
３８０  取付手段
α  角度
β  角度
【図１】
0006275049.tif 000002
【図２】
0006275049.tif 000003
【図３】
0006275049.tif 000004
【図４】
0006275049.tif 000005
【図５】
0006275049.tif 000006
【図６】
0006275049.tif 000007
【図７】
0006275049.tif 000008
【図８】
0006275049.tif 000009
【図９】
0006275049.tif 000010
【図１０】
0006275049.tif 000011
【図１１】
0006275049.tif 000012
【図１２】
0006275049.tif 000013
【図１３】
0006275049.tif 000014
【図１４】
0006275049.tif 000015
【図１５】
0006275049.tif 000016
【図１６】
0006275049.tif 000017
【図１７】
0006275049.tif 000018
【図１８】
0006275049.tif 000019
【図１９】
0006275049.tif 000020
【図２０】
0006275049.tif 000021
【図２１】
0006275049.tif 000022
【図２２】
0006275049.tif 000023
【図２３】
0006275049.tif 000024
【図２４】
0006275049.tif 000025
【図２５】
0006275049.tif 000026
【図２６】
0006275049.tif 000027
【図２７】
0006275049.tif 000028
【図２８】
0006275049.tif 000029
【図２９】
0006275049.tif 000030
【図３０】
0006275049.tif 000031
【図３１】
0006275049.tif 000032
【図３２】
0006275049.tif 000033
【図３３】
0006275049.tif 000034
【図３４】
0006275049.tif 000035
【図３５】
0006275049.tif 000036